(57)【要約】  無線ノードは、第１の無線バックホールリンクに関する第１の設定情報と、第２の無線バックホールリンク及び無線アクセスリンクの少なくとも一方に関する第２の設定情報とを受信する受信部と、前記第１の設定情報及び前記第２の設定情報に基づいて、前記第１の無線バックホールリンクのための第１のリソース設定と、前記第２の無線バックホールリンク及び前記無線アクセスリンクの少なくとも一方のための第２のリソース設定と、を制御する制御部と、を備える。
2020095459.tif 000002
【特許請求の範囲】
【請求項１】
第１の無線バックホールリンクに関する第１の設定情報と、第２の無線バックホールリンク及び無線アクセスリンクの少なくとも一方に関する第２の設定情報とを受信する受信部と、
前記第１の設定情報及び前記第２の設定情報に基づいて、前記第１の無線バックホールリンクのための第１のリソース設定と、前記第２の無線バックホールリンク及び前記無線アクセスリンクの少なくとも一方のための第２のリソース設定と、を制御する制御部と、
を備えた、無線ノード。
【請求項２】
前記制御部は、前記第１の設定情報の少なくとも一部を前記第２の設定情報に応じて読み替えた情報に基づいて、前記第２のリソース設定を制御する、
請求項１に記載の無線ノード。
【請求項３】
前記制御部は、前記第２の設定情報が、前記第１の設定情報によって示される特定のリソースに関して第１のリソースタイプを示す場合、前記特定のリソースを、前記第２の無線バックホールリンク及び前記無線アクセスリンクの少なくとも一方の通信のためのリソースに設定してよいことを決定する、
請求項２に記載の無線ノード。
【請求項４】
前記制御部は、前記第２の設定情報が、前記第１の設定情報によって示される特定のリソースに関して第２のリソースタイプを示す場合、前記第１のバックホールリンクを通じて受信される明示的又は暗示的な指示に応じて、前記特定のリソースを、前記第２の無線バックホールリンク及び前記無線アクセスリンクの少なくとも一方の通信のためのリソースに設定してよいか否かを決定する、
請求項２に記載の無線ノード。
【請求項５】
前記制御部は、前記第２の設定情報が、前記第１の設定情報によって示される特定のリソースに関して第３のリソースタイプを示す場合、前記特定のリソースを、前記第２の無線バックホールリンク及び前記無線アクセスリンクの少なくとも一方の通信のためのリソースに設定しないことを決定する、
請求項２に記載の無線ノード。
【請求項６】
無線ノードは、
第１の無線バックホールリンクに関する第１の設定情報と、第２の無線バックホールリンク及び無線アクセスリンクの少なくとも一方に関する第２の設定情報とを受信し、
前記第１の設定情報及び前記第２の設定情報に基づいて、前記第１の無線バックホールリンクのための第１のリソース設定と、前記第２の無線バックホールリンク及び前記無線アクセスリンクの少なくとも一方のための第２のリソース設定と、を制御する、
無線通信方法。
【発明の詳細な説明】
【技術分野】
【０００１】
本開示は、無線ノード、及び、無線通信方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
将来の無線通信システム（例えば、５Ｇ）に関して、アクセスリンクとバックホールリンクを統合するIntegrated Access and Backhaul（ＩＡＢ）の技術について検討されている（非特許文献１）。ＩＡＢでは、ＩＡＢノードの様な無線ノードは、ユーザ端末（User Equipment（ＵＥ））と、無線のアクセスリンクを形成すると共に、他のＩＡＢノードおよび／または無線基地局と無線のバックホールリンクを形成する。
【先行技術文献】
【非特許文献】
【０００４】
【非特許文献１】3GPP TR 38.874 V0.6.0, “3rd Generation Partnership Project; Technical Specification Group Radio Access Network; Study on Integrated Access and Backhaul; (Release 15),” November 2018
【非特許文献２】3GPP TSG RAN Meeting #78 RP-172290 “Study on Integrated Access and Backhaul for NR,” December 2017
【発明の概要】
【発明が解決しようとする課題】
【０００５】
しかしながら、無線ノード同士、及び、無線ノードとユーザ端末との間におけるリソースの設定に関する検討は不十分であり、さらなる検討が求められている。【０００６】
本開示の一態様は、無線ノード同士、及び、無線ノードとユーザ端末との間におけるリソースの設定を適切に行うことができる無線ノード及び無線通信方法を提供することを目的の１つとする。
【課題を解決するための手段】
【０００７】
本開示の一態様に係る無線ノードは、第１の無線バックホールリンクに関する第１の設定情報と、第２の無線バックホールリンク及び無線アクセスリンクの少なくとも一方に関する第２の設定情報とを受信する受信部と、前記第１の設定情報及び前記第２の設定情報に基づいて、前記第１の無線バックホールリンクのための第１のリソース設定と、前記第２の無線バックホールリンク及び前記無線アクセスリンクの少なくとも一方のための第２のリソース設定と、を制御する制御部と、を備える。
【発明の効果】
【０００８】
本開示によれば、無線ノード同士、及び、無線ノードとユーザ端末との間におけるリソースの設定を適切に行うことができる。
【図面の簡単な説明】
【０００９】
【図１】本開示の一態様に係る無線通信システムの構成例を示す図である。
【図２】本開示の一態様に係るＩＡＢノードの構成例を示す図である。
【図３】本開示の一態様に係るＩＡＢノードがサポートするTime Division Multiplexing（ＴＤＭ）のケースを示す図である。
【図４】本開示の一態様に係るＩＡＢノードの送受信タイミングの第１例を示す図である。
【図５】本開示の一態様に係るMobile-Termination（ＭＴ）向け設定及びDistributed Unit（ＤＵ）向け設定の送信の一例を示す図である。
【図６】本開示の一態様に係るＩＡＢノードの送受信タイミングの第２例を示す図である。
【図７】本開示の一態様に係るＩＡＢノードの送受信タイミングの第３例を示す図である。
【図８】本開示の一態様に係るＩＡＢノード及びユーザ端末のハードウェア構成の例を示す図である。
【発明を実施するための形態】
【００１０】
以下、本開示の一態様に係る実施の形態を、図面を参照して説明する。
【００１１】
＜無線通信システム＞
図１は、一実施の形態に係る無線通信システムの構成例を示す。
【００１２】
無線通信システム１は、無線ノードの一例である複数のＩＡＢノード１０Ａ〜１０Ｃと、ユーザ端末の一例であるＵＥ２０とを含む。以下、ＩＡＢノード１０Ａ〜１０Ｃを区別しないで説明する場合には、「ＩＡＢノード１０」のように参照符号のうち共通番号のみを使用することがある。
【００１３】
ＩＡＢノード１０Ａ〜１０Ｃは、それぞれ、無線通信によって、他のＩＡＢノード１０に接続される。図１では、ＩＡＢノード１０Ｂは、ＩＡＢノード１０Ａに接続している。ＩＡＢノード１０Ｃは、ＩＡＢノード１０Ｂに接続している。以下、ＩＡＢノード１０Ｂから見て上流の（つまりＩＡＢドナーに近づく方向の）ＩＡＢノード１０Ａを、親ＩＡＢノード１０Ａと呼び、ＩＡＢノード１０Ｂから見て下流の（つまりＩＡＢドナーから遠ざかる方向の）ＩＡＢノード１０Ｃを、子ＩＡＢノード１０Ｃと呼ぶ。
【００１４】
なお、「親ＩＡＢノード１０Ａ」という記載は、ＩＡＢノード１０Ｂに対する親ＩＡＢノードであることを示し、「子ＩＡＢノード１０Ｃ」は、ＩＡＢノード１０Ｂに対する子ＩＡＢノードであることを示す。別言すれば、ＩＡＢノード１０Ｂは、「親ＩＡＢノード１０Ａ」に対する子ＩＡＢノードに相当し、「子ＩＡＢノード１０Ｃ」に対する親ＩＡＢノードに相当する。
【００１５】
ＩＡＢノード１０Ａ〜１０Ｃは、それぞれ、無線通信可能なエリアであるセルを形成する。すなわち、ＩＡＢノード１０は、基地局としての機能を有する。セル内のＵＥ２０は、当該セルを形成しているＩＡＢノード１０に無線接続できる。
【００１６】
また、ＩＡＢノード１０Ａは、ファイババックホール（Fiber Backhaul（ＢＨ））を通じてコアネットワーク（Core Network（ＣＮ））に接続してよい。この場合、ＩＡＢノード１０Ａは、ＩＡＢドナーと呼ばれてもよい。また、図１では、ＩＡＢノード１０の数が３個、ＵＥ２０の数が１個であるが、無線通信システム１に含まれるＩＡＢノード１０の数及びＵＥ２０の数は、幾つであってもよい。また、１つのＩＡＢノード１０に対する親ＩＡＢノードの数は２つ以上であってもよく、１つのＩＡＢノード１０に対する子ＩＡＢノードの数は、２つ以上であってもよい。
【００１７】
なお、図１に示すＬとその添え字は次のことを示す。
・ＬP,DLは、ＩＡＢノード１０Ｂに対する親ＩＡＢノード１０ＡからのDownlink（ＤＬ；下りリンク）を示す。
・ＬP,ULは、ＩＡＢノード１０Ｂから親ＩＡＢノード１０ＡへのUplink（ＵＬ；上りリンク）を示す。
・ＬC,DLは、ＩＡＢノード１０Ｂから子ＩＡＢノード１０ＣへのＤＬを示す。
・ＬC,ULは、ＩＡＢノード１０Ｂに対する子ＩＡＢノード１０ＣからのＵＬを示す。
・ＬA,DLは、ＩＡＢノード１０ＢからＵＥ２０へのＤＬを示す。
・ＬA,ULは、ＩＡＢノード１０Ｂに対するＵＥ２０からのＵＬを示す。
【００１８】
＜ＩＡＢノード＞
図２は、ＩＡＢノード１０の構成例を示す。
【００１９】
図２に示すように、ＩＡＢノード１０は、制御部１００と、ＭＴ（Mobile-Termination）１０２と、ＤＵ（Distributed Unit）１０３とを有する。なお、ＭＴ１０２及びＤＵ１０３は、機能ブロックであってよい。以下、ＭＴ１０２の機能を表現する場合、ＭＴのように参照符号を付さずに表現し、ＤＵ１０３の機能を表現する場合、ＤＵのように参照符号を付さずに表現する場合がある。また、ＤＵ１０３は、基地局又は張出局に相当する機能を有してよい。また、ＭＴ１０２の一例は、端末に相当する機能を有してよい。
【００２０】
ＩＡＢノード１０Ｂは、ＭＴ１０２によって、上流のＩＡＢノード（又はＩＡＢドナー）１０Ａに接続する。すなわち、ＩＡＢノード１０ＢのＭＴ１０２は、親ＩＡＢノード１０Ａとの接続を処理する。
【００２１】
ＩＡＢノード１０Ｂは、ＤＵ１０３によって、ＵＥ２０及び下流のＩＡＢノード１０ＣのＭＴと接続する。すなわち、ＩＡＢノード１０ＢのＤＵ１０３は、ＵＥ２０及び子ＩＡＢノード１０Ｃとの接続を処理する。ＤＵ１０３によるＵＥ２０及び／又は子ＩＡＢノード１０Ｃとの接続は、例えば、Radio Resource Control（ＲＲＣ）チャネルの確立である。
【００２２】
制御部１００は、ＭＴ１０２及びＤＵ１０３を制御する。なお、後述するＩＡＢノード１０の動作は、当該制御部１００がＭＴ１０２及びＤＵ１０３を制御することによって実現されてよい。また、制御部１００は、各種情報を記憶するための記憶部を備えてもよい。
【００２３】
＜検討＞
親ＩＡＢノード１０Ａは、ＩＡＢノード１０ＢのＭＴ１０２の観点から、次の時間リソースを、当該親ＩＡＢノード１０Ａとのリンク（以下「親リンク」という）のために指示する。
・ＤＬ時間リソース（ＤＬのために使用される時間リソース）
・ＵＬ時間リソース（ＵＬのために使用される時間リソース）
・Flexible時間リソース（ＤＬ又はＵＬのために使用される時間リソース）
【００２４】
ＩＡＢノード１０Ｂは、ＩＡＢノード１０ＢのＤＵ１０３の観点から、ＩＡＢノード１０Ｂと子ＩＡＢノード１０Ｃとのリンク及び／又はＩＡＢノード１０ＢとＵＥ２０とのリンク（以下、これらのリンクを「子リンク」という）において、次のタイプの時間リソースを有する。
・ＤＬ時間リソース
・ＵＬ時間リソース
・Flexible時間リソース
・Not-available時間リソース（ＤＵの子リンクの通信のためには使用されないリソース）
【００２５】
ＤＵの子リンクのＤＬ、ＵＬ及びFlexible時間リソースは、それぞれ、次の２つの分類のうちの１つに属する。
・Hard：これに対応する時間リソースは、常にＤＵの子リンクのために利用できる。
・Soft：これに対応する時間リソースのＤＵの子リンクのための利用可能性は、親ＩＡＢノード１０Ａによって、明示的及び／又は暗示的に制御される。
【００２６】
図３は、ＩＡＢノード１０がサポートするＴＤＭのケースを示す図である。
【００２７】
図３において、Ｌｉｎｋ１は親リンクを示し、Ｌｉｎｋ２は子リンクを示す。例えば、図３におけるケース１は、ＴＤＭの１つの時間リソースにおいて、ＬP,DLとＬC,DLとの時分割多重がサポートされることを示す。
【００２８】
ＩＡＢノード１０には、図３の少なくともケース１〜１２に示されるリンクを利用可能なＩＡＢノード固有の時間リソースが設定される。
【００２９】
また、３ＧＰＰ（Third Generation Partnership Project)は、ＩＡＢノード１０及びＩＡＢドナーを横断するスケジューリング調整、リソース割当、及びルート選択のためのメカニズム、並びに、多バックホールホップ（multiple backhaul hops）について検討している。そして、３ＧＰＰは、通信シグナリングにおける準静的な設定を、ＩＡＢノード１０間のリソース（周波数、及び、スロット又はスロットフォーマットの観点、など）の調整のためにサポートすることを検討している。
【００３０】
ＭＴの観点にて使用するリソースは、親ＩＡＢノード１０Ａによって設定及び制御される。また、ＤＵの観点にて使用するリソースは、ＩＡＢノード１０Ｂによって、子ＩＡＢノード１０Ｃ及びＵＥ２０に対して、設定及び制御される。
【００３１】
ＩＡＢノード１０Ｂの送受信タイミングについて、例えばTime Division Duplex（ＴＤＤ）バンドにおけるＵＥ２０への影響を避けるために、下り送信タイミングをＩＡＢノード１０間にて揃える運用を考える場合、次の可能性がある。すなわち、ＩＡＢノード１０Ｂは、ＵＥ２０及び／又は子ＩＡＢノード１０ＣへのＤＬ信号の送信を行いながら、親ＩＡＢノード１０ＡへのＵＬ信号の送信を行うことができない可能性がある。また、ＩＡＢノード１０Ｂは、親ＩＡＢノード１０ＡからのＤＬ信号の受信を行いながら、ＵＥ２０及び／又は子ＩＡＢノード１０ＣからのＵＬ信号の受信を行うことができない可能性がある。
【００３２】
これについて、図４を参照して説明する。図４は、ＩＡＢノード１０間で送受信される信号の送受信タイミングの一例を示す図である。なお、以下の説明において、例えば、ＬP,DLのリンクにて送受信される信号は、ＬP,DL信号と記載することがある。他のリンクにて送受信される信号についても同様に記載することがある。
【００３３】
典型的には、ＩＡＢノード１０間において、ＤＬ信号の送信タイミング（周期毎の時間リソース）を揃える。また、ＩＡＢノード１０Ｂにおける、親ＩＡＢノード１０Ａに対するＵＬ信号の送信タイミングは、親ＩＡＢノード１０ＡからＩＡＢノード１０Ｂへ指示される。例えば、親ＩＡＢノード１０ＡのＵＬ信号の受信タイミングは、親ＩＡＢノード１０ＡにおけるＤＬ信号の送信タイミングに合うように制御される。その場合、ＩＡＢノード１０ＢにおけるＵＬ信号の送信タイミングは、当該ＵＬ信号の親ＩＡＢノード１０Ａでの受信タイミングが、当該親ＩＡＢノード１０ＡにおけるＤＬ信号の送信タイミングと合うように設定される。
【００３４】
子ＩＡＢノード１０ＣにおけるＩＡＢノード１０Ｂに対するＵＬ信号の送信タイミングは、上述したＩＡＢノード１０Ｂの例と同様に、ＩＡＢノード１０ＢからＩＡＢノード１０Ｃへ指示される。
【００３５】
例えば、図４において、親ＩＡＢノード１０Ａにおける、ＬP,DL信号の送信タイミング３００ｃとＬP,UL信号の受信タイミング３００ａとは、一定の間隔で揃えられている。親ＩＡＢノード１０Ａは、受信タイミング３００ａにおいて、ＬP,UL信号を受信するように、ＬP,UL信号の送信タイミングをＩＡＢノード１０Ｂへ通知する。ＩＡＢノード１０Ｂは、親ＩＡＢノード１０Ａが受信タイミング３００ａにおいてＬP,UL信号を受信できるように、Timing Advance（ＴＡ）の分だけ早くＬP,UL信号を送信する。また、ＩＡＢノード１０Ｂは、子ＩＡＢノード１０Ｃに対して、ＩＡＢノード１０Ａ、１０Ｂ、１０Ｃの間で揃えられたＤＬ信号の送信タイミング３００ｂにおいて、ＬC,DL信号を送信する。なお、「ＴＡ」は、信号の送信タイミングを早める制御のために用いられる情報の一例であり、「ＴＡ」とは異なる称呼に読み替えられてもよい。
【００３６】
つまり、或るＩＡＢノード１０において、上流側への信号送信に相当するＵＬ信号の送信タイミングは、上流側のＩＡＢノード１０における当該ＵＬ信号の受信タイミングに合わせて設定される。ＩＡＢノード１０Ｂにおいて、子ＩＡＢノードへのＬC,DL信号の送信タイミングと、親ＩＡＢノード１０ＡへのＬP,UL信号の送信タイミングとが個別に設定（調整）されない場合、子ＩＡＢノード１０ＣへのＬC,DL信号の送信を行いながら、親ＩＡＢノード１０ＡへのＬP,UL信号の送信を行うことができない可能性がある。これは、ＵＥ２０へのＬA,DL信号の送信についても同様である。
【００３７】
また、例えば、図４において、ＩＡＢノード１０Ｂは、親ＩＡＢノード１０Ａが送信タイミング３００ｃにおいて送信したＬP,DL信号を、伝搬遅延により、送信タイミング３００ｃよりも遅れて受信する。一方で、ＩＡＢノード１０Ｂは、ＵＥ２０及び子ＩＡＢノード１０Ｃが送信タイミング３００ｄよりもＴＡの分だけ早く送信したＬA,UL信号及びＬC,UL信号を、送信タイミング３００ｄにて受信する。
【００３８】
つまり、或るＩＡＢノード１０において、上流側からの信号受信に相当するＤＬ信号の受信タイミングは、上流側のＩＡＢノードにおける当該ＤＬ信号の送信タイミングからズレが生じる。ここで、ＩＡＢノード１０Ｂは、親ＩＡＢノード１０ＡからのＬP,DL信号の受信タイミングと、子ＩＡＢノード１０ＣからのＬC,UL信号の受信タイミングとを個別に設定できないため、ズレを解消できない可能性がある。そのため、親ＩＡＢノード１０ＡからのＬP,DL信号の受信を行いながら、子ＩＡＢノード１０ＣからのＬC,UL信号の受信を行うことができない可能性がある。これは、ＵＥ２０からのＬA,UL信号の受信についても同様である。
【００３９】
また、ＩＡＢノード１０Ｂが、親ＩＡＢノード１０ＡからＭＴの観点にて設定されたＤＬリソースの一部を、子ＩＡＢノード１０Ｃ及び／又はＵＥ２０向けに使用すると、ＩＡＢノード１０Ｂは、親ＩＡＢノード１０ＡからのＤＬ信号の受信に失敗する可能性がある。
【００４０】
また、子ＩＡＢノード１０ＣのＭＴに対するリソースの設定と、ＵＥ２０に対するリソースの設定とについて、異なる設定を用意することは、ＩＡＢノード１０Ｂにおける処理が複雑になるおそれがある。
【００４１】
そこで、本実施の形態では、ＩＡＢノード１０Ｂが、子ＩＡＢノード１０Ｃに対するリソースの設定を簡易に行えるようにする。また、本実施の形態では、子ＩＡＢノード１０Ｃがリソースをどのように使用してよいかを明確にすることにより、子ＩＡＢノード１０Ｃにおける意図しない動作を防止する。
【００４２】
＜概要＞
次に、図５を参照して、本実施の形態の概要について説明する。
【００４３】
図５に示すように、親ＩＡＢノード１０Ａは、ＩＡＢノード１０Ｂに対して、ＭＴ向け設定とＤＵ向け設定とを別個に行う。同様に、ＩＡＢノード１０Ｂは、子ＩＡＢノード１０Ｃに対して、ＭＴ向け設定とＤＵ向け設定とを別個に行う。ＭＴ向け設定には、Ｒｅｌ−１５又は１６のＵＥ向け設定と同様のシグナリング（例えばTDD-UL-DL-Configパラメータ）が用いられてもよい。
【００４４】
また、ＩＡＢノード１０Ｂにおいて、子ＩＡＢノード１０ＣへのＭＴ向け設定とＵＥ２０へのＭＴ向け設定とは、少なくとも一部が共通であってもよい。例えば、子ＩＡＢノード１０ＣへのＭＴ向け設定とＵＥ２０へのＭＴ向け設定とは、セル固有な設定について共通であってもよい。
【００４５】
また、ＩＡＢノード１０Ｂから子ＩＡＢノード１０ＣへのＤＵ向け設定は、子ＩＡＢノード１０ＣへのＭＴ向け設定の少なくとも一部を読み替え（上書き）するものであってよい。或いは、ＩＡＢノード１０Ｂから子ＩＡＢノード１０ＣへのＤＵ向け設定は、子ＩＡＢノード１０ＣへのＭＴ向け設定と矛盾しないように設定されてよい。
【００４６】
すなわち、ＭＴ向け設定の少なくとも一部が、ＤＵ向け設定に応じて読み替えられてよい（上書きされてよい）。この場合、ＭＴ向け設定をＤＵ向け設定に応じて読み替えたものが、ＤＵに設定されてよい。例えば、ＩＡＢノード１０Ｂは、ＭＴ向け設定のTDD-UL-DL-ConfigパラメータによってＤＬ又はFlexibleと通知されたリソースについて、ＤＵ向け設定に応じて、当該リソースの一部を、子ＩＡＢノード１０Ｃ及び／又はＵＥ２０向けに利用可能と認識する。また、例えば、ＩＡＢノード１０Ｂは、ＭＴ向け設定のsearch space設定によってＰＤＣＣＨモニタリング機会（Physical Downlink Control Channel Monitoring occasion）と通知されたリソースについて、ＤＵ向け設定に応じて、当該リソースの一部を、子ＩＡＢノード１０Ｃ及び／又はＵＥ２０向けに利用可能と認識する。これらの場合、ＩＡＢノード１０Ｂは、当該リソースにおいて、親ＩＡＢノード１０ＡからのＤＬ信号を受信しなくてもよい。
【００４７】
或いは、ＩＡＢノード１０Ｂは、ＭＴ向け設定とＤＵ向け設定とにおいて、少なくとも一部のリソースについての設定に矛盾が生じることはないと想定してもよい。
【００４８】
次に、当該概要に関する例として、例１〜例５を示す。なお、例１〜例５は、２以上が組み合わされてもよい。
【００４９】
＜例１：TDD Config＞
次に、TDD Configパラメータに関するＭＴ向け設定及びＤＵ向け設定の例について説明する。
【００５０】
ＭＴ向け設定として、時間リソースが、ＤＬ、ＵＬ及びFlexibleの何れか１つに分類される。TDD-UL-DL-Configパラメータは、ＩＡＢノード１０に通知されてよい。
【００５１】
ＤＵ向け設定として、時間リソースの少なくとも一部に対する、以下の（Ａ１）〜（Ａ７）の何れか１つの情報（ＤＵリソース情報）が、ＩＡＢノード１０Ｂに通知されてよい。なお、ＤＵリソース情報は、リソースタイプと呼んでもよい。
【００５２】
（Ａ１）DL-hard：ＩＡＢノード１０Ｂは、DL-hardのＤＵリソース情報が通知されたリソースを、ＭＴ向け設定の通知内容によらず、子ＩＡＢノード１０Ｃ及び／又はＵＥ２０向けのＤＬに利用してよい。すなわち、ＩＡＢノード１０Ｂは、DL-hardのＤＵリソース情報が通知されたリソースを、親ＩＡＢノード１０ＡからのＤＬ信号の受信又は親ＩＡＢノード１０ＡへのＵＬ信号の送信に設定されないリソースと想定してよい。
【００５３】
（Ａ２）DL-soft：ＩＡＢノード１０Ｂは、DL-softのＤＵリソース情報が通知されたリソースを、別途、親ＩＡＢノード１０Ａからの暗示的（implicit）又は明示的（explicit）な指示に応じて、DL-hardの想定又はNot-availableの想定の何れかに切り替えてよい。暗示的又は明示的な指示は、ＲＲＣシグナリングのような上位レイヤシグナリングとは別に行われてもよい。
【００５４】
（Ａ３）UL-hard：ＩＡＢノード１０Ｂは、UL-hardのＤＵリソース情報が通知されたリソースを、ＭＴ向け設定の通知内容によらず、子ＩＡＢノード１０Ｃ及び／又はＵＥ２０向けのＵＬに利用してよい。すなわち、ＩＡＢノード１０Ｂは、UL-hardのＤＵリソース情報が通知されたリソースを、親ＩＡＢノード１０ＡからのＤＬ信号の受信又は親ＩＡＢノード１０ＡへのＵＬ信号の送信に設定されないリソースと想定してよい。
【００５５】
（Ａ４）UL-soft：ＩＡＢノード１０Ｂは、UL-softのＤＵリソース情報が通知されたリソースを、別途、親ＩＡＢノード１０Ａからの暗示的又は明示的な指示に応じて、UL-hardの想定又はNot-Availableの想定の何れかに切り替えてよい。
【００５６】
（Ａ５）Flexible-hard：ＩＡＢノード１０Ｂは、Flexible-hardのＤＵリソース情報が通知されたリソースを、ＭＴ向け設定の通知内容によらず、子ＩＡＢノード１０Ｃ及び／又はＵＥ２０向けのＤＬ又はＵＬに利用してよい。すなわち、ＩＡＢノード１０Ｂは、Flexible-hardパラメータが通知されたリソースを、親ＩＡＢノード１０ＡからのＤＬ信号の受信又は親ＩＡＢノード１０ＡへのＵＬ信号の送信に設定されないリソースと想定してよい。
【００５７】
（Ａ６）Flexible-soft：ＩＡＢノード１０Ｂは、Flexible-softのＤＵリソース情報が通知されたリソースを、別途、親ＩＡＢノード１０Ａからの暗示的又は明示的な指示に応じて、Flexible-hardの想定又はNot-Availableの想定の何れかに切り替えてよい。
【００５８】
（Ａ７）Not-available：ＩＡＢノード１０Ｂは、Not-availableのＤＵリソース情報が通知されたリソースを、ＭＴ向け設定の通知内容に従い、親ＩＡＢノード１０ＡからのＤＬ信号の受信又は親ＩＡＢノード１０ＡへのＵＬ信号の送信に設定されるリソースと想定してよい。すなわち、ＩＡＢノード１０Ｂは、Not-availableのＤＵリソース情報が通知されたリソースを、子ＩＡＢノード１０Ｃ及び／又はＵＥ２０向けに利用しない。
【００５９】
＜例２：ＣＳＳ（Common Search Space） configuration＞
次に、ＣＳＳに関するＭＴ向け設定及びＤＵ向け設定の例について説明する。
【００６０】
ＩＡＢノード１０Ｂは、ＭＴ向け設定として、親ＩＡＢノード１０ＡからPDCCH-ConfigCommonパラメータが設定されてよい。
【００６１】
ＩＡＢノード１０Ｂは、ＤＵ向け設定として、親ＩＡＢノード１０Ａから上記（Ａ１）〜（Ａ７）の何れかのＤＵリソース情報を受信した場合、次の（Ｂ１）及び（Ｂ２）の少なくとも１つを想定してよい。
【００６２】
（Ｂ１）ＩＡＢノード１０Ｂは、ＭＴ向け設定としてＣＳＳのＰＤＣＣＨモニタリング機会に設定されたリソースが、ＤＵ向け設定としてDL-hard、UL-hard又はFlexible-hardの何れかに設定された場合、該当するＣＳＳのＰＤＣＣＨモニタリング機会において、ＰＤＣＣＨモニタリングを行わなくてよい。或いは、ＩＡＢノード１０Ｂは、ＭＴ向け設定としてＣＳＳのＰＤＣＣＨモニタリング機会に設定されたリソースが、ＤＵ向け設定としてDL-soft、UL-soft又はFlexible-softの何れかに設定され、それぞれ、DL-hard、UL-hard又はFlexible-hardと想定することが別途、暗示的又は明示的に指示された場合、該当するＣＳＳのＰＤＣＣＨモニタリング機会において、ＰＤＣＣＨモニタリングを行わなくてよい。
【００６３】
（Ｂ２）ＩＡＢノード１０Ｂは、ＭＴ向け設定としてＣＳＳのＰＤＣＣＨモニタリング機会に設定されたリソースの少なくとも一部が、ＤＵ向け設定としてDL-hard、UL-hard又はFlexible-hardの何れかに設定されることを、想定しなくてよい。或いは、ＩＡＢノード１０Ｂは、ＭＴ向け設定としてＣＳＳのＰＤＣＣＨモニタリング機会に設定されたリソースの少なくとも一部が、ＤＵ向け設定としてDL-soft、UL-soft又はFlexible-softの何れかに設定され、それぞれ、DL-hard、UL-hard又はFlexible-hardと想定することが別途、暗示的又は明示的に指示されることを、想定しなくてよい。
【００６４】
なお、ＵＥ固有（UE-specific） search space configurationについて、上記のＣＳＳ search space configurationと同様の想定をしてもよい。或いは、ＵＥ固有（UE-specific）search spaceのconfigurationについて、上記のＣＳＳ search space configurationとは、少なくとも一部が異なる想定をしてもよい。例えば、ＣＳＳ search spaceのconfigurationについて上記（Ｂ１）及び（Ｂ２）の一方を想定し、ＵＥ固有search spaceのconfigurationについて上記（Ｂ１）及び（Ｂ２）の他方を想定してもよい。
【００６５】
＜例３：Measurement configuration＞
次に、Measurement configurationに関するＭＴ向け設定及びＤＵ向け設定の例について説明する。
【００６６】
ＩＡＢノード１０Ｂは、ＭＴ向け設定として、親ＩＡＢノード１０Ａから、MeasObjectNRパラメータ、RadioLinkMonitoringConfigパラメータ、及び／又は、BeamFailureRecoveryConfigパラメータを設定されてよい。
【００６７】
ＩＡＢノード１０Ｂは、ＤＵ向け設定として、親ＩＡＢノード１０Ａから上記（Ａ１）〜（Ａ７）の何れかのＤＵリソース情報を受信した場合、下記（Ｃ１）及び（Ｃ２）の少なくとも１つを想定してよい。
【００６８】
（Ｃ１）ＩＡＢノード１０Ｂは、ＭＴ向け設定としてMeasurement、ＲＬＭ、又は、ＢＦＤ及び／又はＢＦＲ用に設定されたリソースが、ＤＵ向け設定としてDL-hard、UL-hard又はFlexible-hardの何れかに設定された場合、該当するリソースにおいて、検出、測定動作、又はＢＦＲ用ＰＲＡＣＨ送信動作を行わなくてよい。或いは、ＩＡＢノード１０Ｂは、ＭＴ向け設定としてMeasurement、ＲＬＭ、又は、ＢＦＤ及び／又はＢＦＲ用に設定されたリソースが、ＤＵ向け設定としてDL-soft、UL-soft又はFlexible-softの何れかに設定され、それぞれ、DL-hard、UL-hard又はFlexible-hardと想定することが別途、明示的又は暗示的に指示された場合、該当するリソースにおいて、検出、測定動作、又はＢＦＲ用ＰＲＡＣＨ送信動作を行わなくてよい。なお、ＲＬＭは、Radio Link Monitoringの略である。ＢＦＤは、Beam Failure Detectionの略である。ＢＦＲは、Beam Failure Recoveryの略である。ＰＲＡＣＨは、Physical random access channelの略である。
【００６９】
（Ｃ２）ＩＡＢノード１０Ｂは、ＭＴ向け設定としてMeasurement、ＲＬＭ、又は、ＢＦＤ及び／又はＢＦＲ用に設定されたリソースの少なくとも一部が、ＤＵ向け設定としてDL-hard、UL-hard又はFlexible-hardの何れかに設定されることを、想定しなくてよい。或いは、ＩＡＢノード１０Ｂは、ＭＴ向け設定としてMeasurement、ＲＬＭ、又は、ＢＦＤ及び／又はＢＦＲ用に設定されたリソースの少なくとも一部が、ＤＵ向け設定としてDL-soft、UL-soft又はFlexible-softの何れかに設定され、それぞれ、DL-hard、UL-hard又はFlexible-hardと想定することが別途、暗示的又は明示的に指示されることを、想定しなくてよい。
【００７０】
なお、（ａ）Radio Resource Management（ＲＲＭ） measurement向け、（ｂ）ＲＬＭ向け、及び、（ｃ）ＢＦＤ及び／又はＢＦＲ向けには、共通の上記（Ｃ１）又は（Ｃ２）の想定が適用されてよい。或いは、上記（ａ）〜（ｃ）の少なくとも一部には、異なる想定が適用されてもよい。例えば、上記（ａ）〜（ｃ）のうちの１つ又は２つに対しては上記（Ｃ１）及び（Ｃ２）の一方の想定が適用され、上記（ａ）〜（ｃ）のうちの残りの１つ又は２に対しては上記（Ｃ１）及び（Ｃ２）の他方の想定が適用されてもよい。
【００７１】
＜例４：ＲＡＣＨ configuration＞
次に、ＲＡＣＨ configurationに関するＭＴ向け設定及びＤＵ向け設定の例について説明する。なお、ＲＡＣＨは、Random Access Channelの略である。
【００７２】
ＩＡＢノード１０Ｂは、ＭＴ向け設定として、親ＩＡＢノード１０ＡからRACH-ConfigGenericパラメータが設定されてよい。
【００７３】
ＩＡＢノード１０Ｂは、ＤＵ向け設定として、親ＩＡＢノード１０Ａから上記（Ａ１）〜（Ａ７）の何れかのＤＵリソース情報を受信した場合、次の（Ｄ１）及び（Ｄ２）の少なくとも１つを想定してよい。
【００７４】
（Ｄ１）ＩＡＢノード１０Ｂは、ＭＴ向け設定としてＰＲＡＣＨ用に設定されたリソースが、ＤＵ向け設定としてDL-hard、UL-hard又はFlexible-hardの何れかに設定された場合、該当するリソースにおいて、ＰＲＡＣＨ送信動作を行わなくてよい。或いは、ＩＡＢノード１０Ｂは、ＭＴ向け設定としてＰＲＡＣＨ用に設定されたリソースが、ＤＵ向け設定としてDL-soft、UL-soft又はFlexible-softの何れかに設定され、それぞれ、DL-hard、UL-hard又はFlexible-hardと想定することが別途、暗示的又は明示的に指示された場合、該当するリソースにおいて、ＰＲＡＣＨ送信動作を行わなくてよい。
【００７５】
（Ｄ２）ＩＡＢノード１０Ｂは、ＭＴ向け設定としてＰＲＡＣＨ用に設定されたリソースの少なくとも一部が、DL-hard、UL-hard又はFlexible-hardの何れかに設定されることを、想定しなくてよい。或いは、ＩＡＢノード１０Ｂは、ＭＴ向け設定としてＰＲＡＣＨ用に設定されたリソースの少なくとも一部が、ＤＵ向け設定としてDL-soft、UL-soft又はFlexible-softの何れかに設定され、それぞれ、DL-hard、UL-hard又はFlexible-hardと想定することが別途、暗示的又は明示的に指示されることを、想定しなくてよい。
【００７６】
なお、Contention-based  ＲＡＣＨ向け、及び、Contention-free ＲＡＣＨ向け（ＢＦＲ向けを含む）には、共通の上記（Ｄ１）又は（Ｄ２）が適用されてよい。或いは、Contention-based  ＲＡＣＨ向け、及び、Contention-free ＲＡＣＨ向け（ＢＦＲ向けを含む）には、少なくとも一部が異なる想定が適用されてもよい。例えば、Contention-based  ＲＡＣＨ向けには上記（Ｄ１）及び（Ｄ２）の一方の想定が適用され、Contention-free ＲＡＣＨ向けには上記（Ｄ１）及び（Ｄ２）の他方の想定が適用されてもよい。
【００７７】
＜例５＞
上記（Ａ１）〜（Ａ７）、（Ｂ１）、（Ｂ２）、（Ｃ１）、（Ｃ２）、（Ｄ１）及び（Ｄ２）の動作の少なくとも一部について、親ＩＡＢノード１０Ａから指示されるＩＡＢノード１０Ｂの送信タイミング（transmission timing）に関する設定に基づいて、ＩＡＢノード１０Ｂは、想定及び／又は動作を変更してもよい。次に、この例として、（Ｅ１）及び（Ｅ２）を示す。
【００７８】
（Ｅ１）ＩＡＢノード１０Ｂは、親ＩＡＢノード１０Ａ向けのＵＬ送信タイミングと、子ＩＡＢノード１０Ｃ及び／又はＵＥ２０向けのＤＬ送信タイミングとを合わせるケースを、親ＩＡＢノード１０Ａから指示された場合、ＭＴ向け設定としてＵＬ又はFlexibleと指定されたリソースが、ＤＵ向け設定としてDL-hard又はDL-softに指示されたとしても、その両方の指示に従ってよい。すなわち、ＩＡＢノード１０Ｂは、親ＩＡＢノード１０Ａ向けのＵＬ信号を送信しながら、子ＩＡＢノード１０Ｃ及び／又はＵＥ２０向けのＤＬ信号を送信してよい。
【００７９】
（Ｅ２）ＩＡＢノード１０Ｂは、親ＩＡＢノード１０ＡからのＤＬ受信タイミングと、子ＩＡＢノード１０Ｃ及び／又はＵＥ２０からのＵＬ受信タイミングとを合わせるケースを、親ＩＡＢノード１０Ａから指示された場合、或いは、このような指示がなくとも同様の動作をＩＡＢノード１０Ｂが適用する場合、ＭＴ向け設定としてＤＬ又はFlexibleと指示されたリソースが、ＤＵ向け設定としてDL-hard又はDL-softに指示されたとしても、その両方の指示に従ってよい。すなわち、ＩＡＢノード１０Ｂは、親ＩＡＢノード１０ＡからのＤＬ信号を受信しながら、子ＩＡＢノード１０Ｃ及び／又はＵＥ２０からのＵＬ信号を受信してよい。
【００８０】
なお、親ＩＡＢノード１０Ａからの指示なくＩＡＢノード１０Ｂが上記（Ｅ２）の動作を適用する場合、ＩＡＢノード１０Ｂは、上記（Ｅ２）の動作を適用することを親ＩＡＢノード１０Ａに報告してもよい。或いは、親ＩＡＢノード１０Ａからの指示なくＩＡＢノード１０Ｂが上記（Ｅ２）の動作を適用しない場合、ＩＡＢノード１０Ｂは、上記（Ｅ２）の動作を適用しないことを親ＩＡＢノード１０Ａに報告してもよい。これにより、ＩＡＢノード１０Ｂがどのように動作するかを、親ＩＡＢノード１０Ａが把握できるようになる。
【００８１】
次に、図６を参照して、上記（Ｅ１）の例を説明する。
【００８２】
親ＩＡＢノード１０Ａから上記（Ｅ１）のケースが指示された場合、ＩＡＢノード１０Ｂは、送信タイミング３００ｅに合わせて、親ＩＡＢノード１０ＡにＬP,UL信号を、子ＩＡＢノード１０ＣにＬC,DL信号を送信してよい。この場合、親ＩＡＢノード１０Ａは、送信タイミング３００ｅよりも遅れてＬP,UL信号を受信することになるが、ＬP,UL信号を遅れて受信することを認識しているので、問題ない。
【００８３】
ＩＡＢノード１０Ｂは、親ＩＡＢノード１０Ａから上記（Ｅ１）のケースが指示された場合、ＭＴ向け設定とＤＵ向け設定の両方に従って動作するため、親ＩＡＢノード１０ＡへのＵＬ信号の送信タイミングと、子ＩＡＢノード１０ＣへのＤＬ信号の送信タイミングと、を合わせることが可能である。
【００８４】
次に、図７を参照して、上記（Ｅ２）の例を説明する。
【００８５】
親ＩＡＢノード１０Ａから上記（Ｅ２）のケースが指示された場合、ＩＡＢノード１０Ｂは、送信タイミング３００ｆに対する、親ＩＡＢノード１０ＡからのＬP,DL信号の受信タイミングの遅延を考慮して、ＵＥ２０に対してＬA,UL信号の送信タイミングの遅延３０１を設定する。この送信タイミングの遅延３０１の設定は、ＩＡＢノード１０Ｂが自由に行ってもよい。これにより、ＩＡＢノード１０Ｂは、親ＩＡＢノード１０ＡからのＬP,DL信号の受信タイミングと、ＵＥ２０からのＬA,UL信号の受信タイミングとを合わせることができる。
【００８６】
ＩＡＢノード１０Ｂは、親ＩＡＢノード１０Ａから上記（Ｅ２）のケースが指示された場合、ＭＴ向け設定とＤＵ向け設定の両方に従って動作するため、親ＩＡＢノード１０ＡからのＤＬ信号の受信タイミングと、子ＩＡＢノード１０ＣからのＵＬ信号の受信タイミングと、を合わせることが可能である。
【００８７】
なお、ＩＡＢノード１０Ｂは、親ＩＡＢノード１０ＡからのＬP,DL信号の受信タイミングと、ＵＥ２０からのＬA,UL信号の受信タイミングとを合わせる場合、他のＵＥの少なくとも１つには、ＬA,UL信号の送信タイミングに対して利用不可（Not-available）を設定してもよい。また、ＩＡＢノード１０Ｂは、親ＩＡＢノード１０ＡからのＬP,DL信号の受信タイミングと、ＵＥ２０からのＬA,UL信号の受信タイミングとを合わせない場合、他のＵＥの少なくとも１つには、ＬA,UL信号の送信タイミングに対して利用可（available）を設定してもよい。
【００８８】
＜変形例＞
ＭＴ向け設定としてFlexibleに設定されたリソースは、ＩＡＢノード１０ＢがＤＵにおいて自由に使用してよいことを、仕様に規定してもよい。すなわち、ＭＴ向け設定としてFlexibleに設定されたリソースは、親ＩＡＢノード１０ＡとのＤＬ信号の受信及び／又はＵＬ信号の送信を想定しなくてもよいと、仕様に規定してもよい。
【００８９】
或いは、ＩＡＢノード１０Ｂは、ＭＴ向け設定としてFlexibleに設定されたリソースを「soft」と判断し、親ＩＡＢノード１０Ａからの暗示的又は明示的な指示に応じて、そのリソースを自由に使用してよいか否かを切り替えてもよい。
【００９０】
或いは、ＭＴ向け設定としてFlexibleに設定されたリソースのうち、特定の用途向けに設定されたリソースについては、自由な使用が禁止されることを、仕様に規定してもよい。特定の用途向けに設定されたリソースは、ＲＲＭ measurement、及び／又は、ＰＤＣＣＨモニタリング機会などであってよい。また、自由な使用が禁止されたリソースは、親ＩＡＢノード１０ＡとのＤＬ信号の受信又はＵＬ信号の送信に使用されるリソースであると想定されてもよい。
【００９１】
なお、ＤＵ向け設定には、ＭＴ向け設定よりも柔軟にリソースの粒度及び／又はパターンを指定できてよい。例えば、一部のシンボル（リソース）に対してのみ上記（Ａ１）〜（Ａ７）のＤＵリソース情報の何れかが通知され、他のシンボルに対しては何も通知されなくてもよい。
【００９２】
また、上記（Ａ１）〜（Ａ６）では、ＭＴ向け設定の少なくとも一部をＤＵ向け設定に応じて読み替えている（上書きしている）が、本実施の形態は、ＤＵ向け設定の少なくとも一部をＭＴ向け設定に応じて読み替え（上書きし）てもよい。例えば、上述したＭＴ向け設定とＤＵ向け設定とは、互いに置き換えることができる。
【００９３】
＜本開示のまとめ＞
本開示に係る無線ノードは、第１の無線バックホールリンクに関する第１の設定情報と、第２の無線バックホールリンク及び無線アクセスリンクの少なくとも一方に関する第２の設定情報とを受信する受信部と、第１の設定情報及び第２の設定情報に基づいて、第１の無線バックホールリンクのための第１のリソース設定と、第２の無線バックホールリンク及び無線アクセスリンクの少なくとも一方のための第２のリソース設定と、を制御する制御部と、を備える。
【００９４】
ここで、第１の無線バックホールリンクは、例えば、親ＩＡＢノード１０ＡとＩＡＢノード１０Ｂとの間のＤＬ及び／又はＵＬであってよい。第２の無線バックホールは、例えば、ＩＡＢノード１０Ｂと子ＩＡＢノード１０Ｃとの間のＤＬ及び／又はＵＬであってよい。無線アクセスリンクは、例えば、ＩＡＢノード１０ＢとＵＥ２０との間のＤＬ及び／又はＵＬであってよい。第１の設定情報は、例えば、ＭＴ向け設定であってよい。第２の設定情報は、ＤＵ向け設定であってよい。第１のリソース設定は、例えば、ＭＴ１０２における設定であってよい。第２のリソース設定は、例えば、ＤＵ１０３における設定であってよい。
【００９５】
このように、第１の設定情報（ＭＴ向け設定）と第２の設定情報（ＤＵ向け設定）とを別個にすることにより、無線ノード（ＩＡＢノード１０Ｂ）は、上流の無線ノード（親ＩＡＢノード１０Ａ）との無線リンクのリソースの設定と、下流の無線ノード（子ＩＡＢノード１０Ｃ）及び／又はＵＥ２０との無線リンクのリソースの設定とを、適切に行うことができる。
【００９６】
また、制御部は、第１の設定情報の少なくとも一部を第２の設定情報に応じて読み替えた情報に基づいて、第２のリソース設定を制御してもよい。
【００９７】
このように、第１の設定情報の少なくとも一部を第２の設定情報に応じて読み替えることにより、第２の設定情報の情報量を削減できる。
【００９８】
以上、本開示について説明した。
【００９９】
＜ハードウェア構成等＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１００】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting unit）や送信機（transmitter）と呼称される。いずれも、上述したとおり、実現方法は特に限定されない。
【０１０１】
例えば、本開示の一実施の形態における基地局、ユーザ端末などは、本開示の無線通信方法の処理を行うコンピュータとして機能してもよい。図８は、本開示の一実施の形態に係るＩＡＢノード及びユーザ端末のハードウェア構成の一例を示す図である。上述のＩＡＢノード１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１０２】
なお、以下の説明では、「装置」という文言は、回路、デバイス、ユニットなどに読み替えることができる。ＩＡＢノード１０及びユーザ端末２０のハードウェア構成は、図に示した各装置を１つ又は複数含むように構成されてもよいし、一部の装置を含まずに構成されてもよい。
【０１０３】
ＩＡＢノード１０及びユーザ端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０１０４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１００などは、プロセッサ１００１によって実現されてもよい。
【０１０５】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ＩＡＢノード１０の制御部１００は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０１０６】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１０７】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【０１０８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、基地局及び端末のアンテナなどは、通信装置１００４によって実現されてもよい。送受信部は、送信部と受信部とで、物理的に、または論理的に分離された実装がなされてもよい。
【０１０９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１１０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１１１】
また、ＩＡＢノード１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０１１２】
＜情報の通知、シグナリング＞
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１１３】
＜適用システム＞
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１１４】
＜処理手順等＞
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１１５】
＜基地局の動作＞
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０１１６】
＜入出力の方向＞
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１１７】
＜入出力された情報等の扱い＞
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１１８】
＜判定方法＞
判定は、１ビットで表される値（０か１か）によって行われてもよいし、真偽値（Boolean：true又はfalse）によって行われてもよいし、数値の比較（例えば、所定の値との比較）によって行われてもよい。
【０１１９】
＜態様のバリエーション等＞
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１２０】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１２１】
＜ソフトウェア＞
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１２２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１２３】
＜情報、信号＞
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１２４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１２５】
＜「システム」、「ネットワーク」＞
本開示において使用する「システム」及び「ネットワーク」という用語は、互換的に使用される。
【０１２６】
＜パラメータ、チャネルの名称＞
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１２７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１２８】
＜基地局＞
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１２９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１３０】
＜移動局＞
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１３１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１３２】
＜基地局／移動局＞
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１３３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１３４】
同様に、本開示におけるユーザ端末は、基地局で読み替えてもよい。この場合、上述のユーザ端末２０が有する機能を基地局１０が有する構成としてもよい。
【０１３５】
＜用語の意味、解釈＞
本開示で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１３６】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１３７】
＜参照信号＞
参照信号は、ＲＳ（Reference  Signal）と略称することもでき、適用される標準によってパイロット（Pilot）と呼ばれてもよい。
【０１３８】
＜「に基づいて」の意味＞
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３９】
＜「第１の」、「第２の」＞
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１４０】
＜「手段」＞
上記の各装置の構成における「手段」を、「部」、「回路」、「デバイス」等に置き換えてもよい。
【０１４１】
＜オープン形式＞
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１４２】
＜ＴＴＩ等の時間単位、ＲＢなどの周波数単位、無線フレーム構成＞
無線フレームは時間領域において１つ又は複数のフレームによって構成されてもよい。時間領域において１つ又は複数の各フレームはサブフレームと呼ばれてもよい。
【０１４３】
サブフレームは更に時間領域において１つ又は複数のスロットによって構成されてもよい。サブフレームは、ニューメロロジー（numerology）に依存しない固定の時間長（例えば、１ｍｓ）であってもよい。
【０１４４】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１４５】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１４６】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１４７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１４８】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１４９】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１５０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１５１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１５２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１５３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１５４】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１５５】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１５６】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１５７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１５８】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１５９】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１６０】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１６１】
＜最大送信電力＞
本開示に記載の「最大送信電力」は、送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０１６２】
＜冠詞＞
本開示において、例えば、英語でのa、an及びtheのように、翻訳により冠詞が追加された場合、本開示は、これらの冠詞の後に続く名詞が複数形であることを含んでもよい。
【０１６３】
＜「異なる」＞
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【産業上の利用可能性】
【０１６４】
本開示の一態様は、無線通信システムに有用である。
【符号の説明】
【０１６５】
１０、１０Ａ、１０Ｂ、１０Ｃ  ＩＡＢノード
ＵＥ  ユーザ端末
１００  制御部
１０２  ＭＴ（Mobile-Termination）
１０３  ＤＵ（Distributed Unit）
【図１】
2020095459.tif 000003
【図２】
2020095459.tif 000004
【図３】
2020095459.tif 000005
【図４】
2020095459.tif 000006
【図５】
2020095459.tif 000007
【図６】
2020095459.tif 000008
【図７】
2020095459.tif 000009
【図８】
2020095459.tif 000010
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
Distributed Unit（ＤＵ）向けの設定情報と、Mobile-Termination（ＭＴ）向けの設定情報と、を受信する通信部と、
前記ＤＵ向けの設定情報に基づいて、前記ＤＵにおけるスロットフォーマットを設定し、前記ＭＴ向けの設定情報に基づいて、前記ＭＴにおけるスロットフォーマットを設定する制御部と、
を備えた、無線ノード。
【請求項２】
前記通信部は、前記ＤＵにおけるスロットフォーマットに基づいて第１の無線ノードと通信を行い、前記ＭＴにおけるスロットフォーマットに基づいて第２の無線ノードと通信を行う、
請求項１に記載の無線ノード。
【請求項３】
前記ＭＴ向けの設定情報の設定と端末向けの設定情報の設定とは、同じシグナリングが用いて通知される、
請求項１に記載の無線ノード。
【請求項４】
前記ＭＴ向けの設定情報の設定は、セル固有の設定において端末向けの設定情報の設定と共通する、
請求項１に記載の無線ノード。
【請求項５】
前記通信部は、
前記ＤＵにおけるスロットフォーマットに基づくシンボルにおいて通信を行う第１の設定と、
前記ＭＴにおけるスロットフォーマットに基づくシンボルにおいて通信を行わない場合に、前記ＤＵにおけるスロットフォーマットに基づくシンボルにおいて通信を行う第２の設定と、
前記ＤＵにおけるスロットフォーマットに基づくシンボルにおいて通信を行わない第３の設定と、有し、
前記第１の設定、前記第２の設定、および第３の設定は、前記ＤＵ向けのリソース情報に基づいて設定される、
請求項１に記載の無線ノード。
【請求項６】
無線ノードは、
Distributed Unit（ＤＵ）向けの設定情報と、Mobile-Termination（ＭＴ）向けの設定情報と、を受信し、
前記ＤＵ向けの設定情報に基づいて、前記ＤＵにおけるスロットフォーマットを設定し、前記ＭＴ向けの設定情報に基づいて、前記ＭＴにおけるスロットフォーマットを設定する、
無線通信方法。
【国際調査報告】
2020095459.tif 000011
2020095459.tif 000012
2020095459.tif 000013
2020095459.tif 000014